(57)【要約】【課題】例えば内装用ドアパネルをドア枠に嵌め込むことのできる装着用電動工具を提供する。【解決手段】内装用ドアパネル装着用電動工具１は、前端部２に装着された軸部材１１を軸回転させる電動工具本体１０を備え、軸部材１１の前端部には、回転体２０が接続されており、回転体２０には、追従体３０が接続されており、回転体２０には、環状凹溝２１が形成されており、追従体３０には、環状凹溝２１に当接して案内される凸部３８が形成されており、回転体２０が回転すると、追従体３０が軸部材１１の軸方向に沿って前後動すると共に、コイルスプリング３２を撓ませながら揺動し、これによって押圧部３５が揺動して内装用ドアパネルを押圧して吊り下げられたドア枠に内装用ドアパネルを嵌め込むことができる。【選択図】図１
2020157382.tif 000002
【特許請求の範囲】
【請求項１】
被装着対象物に装着物を嵌め込んで装着するための装着用電動工具であって、
前端部に配置された軸部材を回転させる電動工具本体を備え、前記電動工具本体は、前記軸部材の回転速度を連続的に可変させる機能を有し、
また、前記軸部材の前端部には、前記軸部材と一体的に回転する回転体が配されており、さらに前記回転体には、追従体が前記軸部材の軸方向に沿って並ぶように接続されており、
前記回転体と前記追従体とが接続している接続面のうち一方の接続面には、所定位置を基準として前記軸部材の軸方向に沿う高さが連続的に変化している環状ガイド部が、前記軸部材周り方向に沿って環状に形成されており、他方の接続面には、前記環状ガイド部に当接して当該環状ガイド部の案内作用に従って案内される被ガイド部が形成されており、
また、前記電動工具本体は、前記追従体を前記回転体側へ付勢する弾縮状態のコイルスプリングを具備し、
前記電動工具本体が駆動して回転速度が変化しながら軸部材が回転すると、前記回転体の回転に伴い前記追従体が、弾縮状態の前記コイルスプリングを撓ませながら前記軸部材の軸方向に沿って前後に揺動し、これに伴い前記追従体の前端部に形成された押圧部が前後に揺動しながら前記装着物を押圧して当該装着物が前記被装着対象物に嵌め込まれる
ことを特徴とする装着用電動工具。
【請求項２】
前記環状ガイド部は、前記接続面に対して凹んだ形状で、前記高さが溝深さであり、溝深さ方向が前記軸方向である環状凹溝であり、
前記被ガイド部は、前記接続面から突出して前記環状凹溝に嵌まる凸部である
請求項１に記載の装着用電動工具。
【請求項３】
前記被装着対象物は、所定位置に吊り下げられたドア枠であり、
前記装着物は、前記ドア枠に嵌め込まれる内装用ドアパネルである
請求項１又は請求項２に記載の装着用電動工具。
【発明の詳細な説明】
【技術分野】
【０００１】
本発明は、主に製造ラインの中で自動車のドア枠に内装用ドアパネルを嵌め込んで装着するための装着用電動工具に関する。
【背景技術】
【０００２】
従来、例えば特許文献１で示されるような自動車のドアは、ドア枠と、前記ドア枠に装着される内装用ドアパネルとで構成されていることが一般的であるところ、ドア枠は、製造ラインの中で吊り下げられながら移動しており、このドア枠に対して作業者が手で内装用ドアパネルを叩きながら嵌め込んでドアが製造されていることは公知である（図７参照）。
【先行技術文献】
【特許文献】
【０００３】
【特許文献１】特開２０１７−１４４９６４号公報
【発明の概要】
【発明が解決しようとする課題】
【０００４】
しかしながら、被装着対象物であるドア枠に、装着物である内装用ドアパネルを嵌め込む作業は作業者にとって非常に負担の大きいものであり、長期にわたって当該作業を行うことによって腱鞘炎を発症する等の問題が多く、作業環境の改善が求められていた。一方、この嵌め込み作業は、叩き具合に熟練を要し、単に力強く叩いても跳ね返りが生じて逆に上手く嵌まらないこともよく知られている。
【０００５】
本発明は、かかる現状に鑑みてなされたものであり、装着物を被装着対象物に好適に嵌め込むことのできる装着用電動工具を提供することを目的とする。
【課題を解決するための手段】
【０００６】
本発明は、被装着対象物に装着物を嵌め込んで装着するための装着用電動工具であって、前端部に配置された軸部材を回転させる電動工具本体を備え、前記電動工具本体は、前記軸部材の回転速度を連続的に可変させる機能を有し、また、前記軸部材の前端部には、前記軸部材と一体的に回転する回転体が配されており、さらに前記回転体には、追従体が前記軸部材の軸方向に沿って並ぶように接続されており、前記回転体と前記追従体とが接続している接続面のうち一方の接続面には、所定位置を基準として前記軸部材の軸方向に沿う高さが連続的に変化している環状ガイド部が、前記軸部材周り方向に沿って環状に形成されており、他方の接続面には、前記環状ガイド部に当接して当該環状ガイド部の案内作用に従って案内される被ガイド部が形成されており、また、前記電動工具本体は、前記追従体を前記回転体側へ付勢する弾縮状態のコイルスプリングを具備し、前記電動工具本体が駆動して回転速度が変化しながら軸部材が回転すると、前記回転体の回転に伴い前記追従体が、弾縮状態の前記コイルスプリングを撓ませながら前記軸部材の軸方向に沿って前後に揺動し、これに伴い前記追従体の前端部に形成された押圧部が前後に揺動しながら前記装着物を押圧して当該装着物が前記被装着対象物に嵌め込まれることを特徴とする装着用電動工具である。
【０００７】
ここで、従来、作業者は、前記被装着対象物に前記装着物を嵌め込む場合に、被装着対象物に向かって単に装着物を真っ直ぐ力を加えるだけでなく、斜め方向にも力を加えて当該装着物を適度な力加減で嵌め込んでいることがわかってきた。そこで、本発明の装着用電動工具にあっては、弾縮状態のコイルスプリングが具備されることにより、前記押圧部が前後方向のみならず、上下方向や左右方向にも揺動しながら前記装着物を叩くため、前記装着物を前記被装着対象物に好適に嵌め込むことができる。
【０００８】
また、前記電動工具本体は、前記軸部材の回転速度を連続的に可変であるため、押圧加減が適切に行える。
【０００９】
なお、本発明において、「前記コイルスプリングを撓ませ」るとは、当該コイルスプリングの軸を歪ませて前後方向以外の上下左右方向に揺らすことをさす。これによって前記押圧部は前後方向以外の方向にも揺らされ、好適に装着物を被装着対象物に嵌め込むことができる。
【００１０】
また、前記環状ガイド部は、前記接続面に対して凹んだ形状で、前記高さが溝深さであり、溝深さ方向が前記軸方向である環状凹溝であり、前記被ガイド部は、前記接続面から突出して前記環状凹溝に嵌まる凸部である構成が提案される。
【００１１】
かかる構成とすることにより、当該環状凹溝の溝深さによって前記追従体の前後動の長さが変化するという比較的単純な構成で装着用電動工具を構築することができる。また、かかる構成により、作業者にかかる負担を飛躍的に軽減することができる。なお、本発明は、前記被装着対象物が、所定位置に吊り下げられたドア枠であり、前記装着物が、前記ドア枠に嵌め込まれる内装用ドアパネルとして適用可能である。
【発明の効果】
【００１２】
以上に述べた本発明の装着用電動工具によれば、従来は手押し作業で行われていた作業に代わり、装着物を被装着対象物に好適に嵌め込むことができる優れた効果がある。
【図面の簡単な説明】
【００１３】
【図１】実施例にかかる装着用電動工具の側面図である。
【図２】実施例にかかる装着用電動工具の先端部分を示す斜視図である。
【図３】実施例にかかる回転体の斜視図である。
【図４】実施例にかかる追従体の動きを示す説明図である。
【図５】実施例にかかる追従体の動きを示す説明図である。
【図６】実施例にかかる装着用電動工具の使用態様を示す説明図である。
【図７】ドア枠に内装用ドアパネルを嵌め込む作業の概要を示す説明図である。
【発明を実施するための形態】
【００１４】
本発明の実施形態を、以下の実施例に従って説明する。
【００１５】
図１に示すように、装着用電動工具１（以下単に工具１ともいう）は、前端部２に装着された長尺の軸部材１１を軸周りに回転させる電動工具本体１０を備えている。なお、電動工具本体１０は、指を掛けて使用する操作部５を操作することで、軸部材１１の回転速度を連続的に可変できる。本実施例の工具１の上記機能は、一般的な電動工具を好適に採用可能であり、その内部構造の詳細な説明は省略する。
【００１６】
また、電動工具本体１０の前端部２においては、軸部材１１の周りに３本の案内バー１２が前方へ向かって突き出されている。また、案内バー１２の前端部は径大部１３とされており、後述するコイルスプリング３２の前端が係止されて、コイルスプリング３２が案内バー１２から前端側へ抜けないような構造となっている。
【００１７】
さらに、軸部材１１の前端部には、図２等に示すように、軸部材１１の外径より径大な円柱形状の回転体２０が接続されている。また、回転体２０の前端側の周縁部には、所定位置を基準として前記軸部材１１の軸方向に沿う溝深さ（高さ）が連続的に変化している環状凹溝（環状ガイド部）２１が形成されている。すなわち、環状凹溝２１には、図３等に示すように、他位置の溝底よりも前端側に向かって膨隆した傾斜状山部２２が形成されている。なお、回転体２０は、軸部材１１と固着されており、軸部材１１の回転に伴って同軸で軸部材１１と一体的に回転する。
【００１８】
また、回転体２０の前端側には、円盤形状の追従体３０が軸部材１１の軸方向に沿って並ぶように接続されている。さらに詳述すると、追従体３０は、案内バー１２が貫通している基部３１を備えている。そして、基部３１と、案内バー１２における径大部１３との間には、コイルスプリング３２が弾縮状態で配されており、追従体３０が後方、すなわち電動工具本体１０側へ付勢されている。なお、基部３１に設けられた、案内バー１２が貫通する貫通孔の孔径は、案内バー１２の外径よりも径大とされており（図４参照）、基部３１が案内バー１２に対して揺れ動くことが許容されている。なお、追従体３０は、案内バー１２によって軸回転することが防止されており、回転体２０とともに同軸上で回転することはない。
【００１９】
また、基部３１の前面には、前方に向かって突出した押圧部３５が設けられており、さらに押圧部３５の先端部には平坦な前端面３６が形成されている。
【００２０】
また、基部３１の後面には、回転体２０の環状凹溝２１に嵌って環状凹溝２１の案内作用に従って案内される凸部（被ガイド部）３８が突出状に形成されている。かかる構成により、回転体２０と追従体３０とが接続されている。
【００２１】
次に、工具１の作動態様を説明する。
上述した工具１が作動すると、図４に示したように、軸部材１１が回転体２０と共に回転する。そして、回転体２０の回転に伴い、環状凹溝２１の傾斜状山部２２が追従体３０の凸部３８に当接し始める。
【００２２】
さらに継続的に回転体２０が回転し続けると、図５に示したように、傾斜状山部２２の高さ分だけ追従体３０が前方へ押し出される。このとき、追従体３０は単に前方へ向かって移動するのみならず、コイルスプリング３２を撓ませながら斜め方向にもわずかに押し出される。
【００２３】
またさらに回転体２０が回転し続けると、追従体３０の凸部３８は傾斜状山部２２を通り越して元の位置（図４の位置）に復帰する。このように、電動工具本体１０が駆動している間は、追従体３０が前後に揺動し、図６に示すように、吊り下げ装置Ｌによって吊り下げられた被装着対象物であるドア枠Ｄに対して、装着物である内装用ドアパネルＰを配し、そして、押圧部３５の前端面３６で当該内装用ドアパネルＰを叩いて所定位置に嵌め込む。
【００２４】
ここで、追従体３０は単なる前後動のみならず、撓むことが可能なように弾縮状態で配されたコイルスプリング３２が備えられていることで上下方向にも左右方向にもわずかに揺動する。このため、工具１を用いれば、あたかも作業者が手で直接内装用ドアパネルＰをドア枠Ｄに嵌め込むような作業が実現される。また、コイルスプリング３２は、押圧部３５が内容用ドアパネルＰを叩いた際の反力を和らげる役割も果たしている。なお、一般的な回転式の電動工具では、軸部材の回転に伴うジャイロ効果でひねられることで手首を痛めることがあるが、本発明の工具１においては、追従体３０が、前後動のみならず、上下方向にも左右方向にもわずかに揺動するため、ジャイロ効果が相殺されて作業者の負担が軽減されている。また、回転体２０は軸部材１１よりも径大であるため、従来からのサイズ（重量）の電動工具本体１０のまま、回転体２０の遠心力を利用して、軸部材１１のトルクに比して全体としてトルクを増大させることができる利点がある。
【００２５】
なお、上記実施例において、各部の寸法形状は適宜自由に選択可能である。
また、案内バー１２の数は３本に限定されることはなく、２本でもよいし４本以上であっても構わない。
また、回転体２０に凸部３８が形成され、追従体３０に環状凹溝２１が形成された構造が採用されても構わない。
また、環状凹溝２１や凸部３８の形状は特に限定されることはなく、例えば環状凹溝２１において山部２２が２個以上形成されていても構わない。また、環状ガイド部としては、溝形状である必要はなく、被ガイド部である凸部３８を案内する機能を有していればどのような形状であっても構わない。また、凸部３８も同様に、他の形状であってもよい。また、被装着対象物はドア枠Ｄに限定されず、装着物は内装用ドアパネルＰに限定されない。
【符号の説明】
【００２６】
１      装着用電動工具
１０    電動工具本体
１１    軸部材
２０    回転体
２１    環状凹溝（環状ガイド部）
３０    追従体
３２    コイルスプリング
３５    押圧体
３８    凸部（被ガイド部）
Ｄ      ドア枠（被装着対象物）
Ｐ      内装用ドアパネル（装着物）
【図１】
2020157382.tif 000003
【図２】
2020157382.tif 000004
【図３】
2020157382.tif 000005
【図４】
2020157382.tif 000006
【図５】
2020157382.tif 000007
【図６】
2020157382.tif 000008
【図７】
2020157382.tif 000009